【手続補正書】
【提出日】平成17年6月15日(2005.6.15)
【手続補正１】
【補正対象書類名】明細書
【補正対象項目名】特許請求の範囲
【補正方法】変更
【補正の内容】
【特許請求の範囲】
【請求項１】
映像を送信する映像送信手段と、
該送信された映像を受け取って配布する配送手段と、
該配布された映像を受信すると共に、該受信した映像を表示する表示処理手段と、
前記映像送信手段と前記配送手段の間、および該配送手段と前記表示処理手段の間を接続するネットワークとを備えた映像情報配信システムにおいて、
前記映像送信手段から前記配送手段までの第１ネットワークで送付される画像データを第１画像圧縮方式で圧縮する第１画像圧縮手段と、
前記配送手段から前記表示処理手段までの第２ネットワークで送付される画像データを、前記第１画像圧縮方式と異なる第２画像圧縮方式で圧縮する第２画像圧縮手段とを備えたことを特徴とする映像情報配信システム。
【請求項２】
前記映像送信手段は動画像を撮影するカメラを備えたことを特徴とする請求項１記載の映像情報配信システム。
【請求項３】
前記第１画像圧縮方式は、前記第２画像圧縮方式に比べて画質の劣化が少ない方式であることを特徴とする請求項１または請求項２記載の映像情報配信システム。
【請求項４】
前記第１画像圧縮方式は、可逆の画像圧縮方式であることを特徴とする請求項１乃至請求項３のいずれか記載の映像情報配信システム。
【請求項５】
前記第１ネットワークの伝送帯域幅は前記第２ネットワークの伝送帯域幅に比べて広いことを特徴とする請求項１乃至請求項４のいずれか記載の映像情報配信システム。
【請求項６】
前記第１画像圧縮方式から伸長した画像データを受け取り、該受け取った画像データを蓄積に適した第３画像圧縮方式で圧縮して蓄積する蓄積手段を備えたことを特徴とする請求項１乃至請求項５のいずれか記載の映像情報配信システム。
【請求項７】
前記配送手段は、前記第２画像圧縮手段により圧縮される画像データを間引く画像間引き手段を備えたことを特徴とする請求項１記載の映像情報配信システム。
【請求項８】
映像を送信する工程と、
該送信された映像を受け取って配布する工程と、
該配布された映像を受信すると共に、該受信した映像を表示する工程とを有する映像情報配信方法において、
前記送信された映像を受け取るまでに画像データを第１画像圧縮方式で圧縮する工程と、
前記受け取った映像を配布するまでに画像データを、前記第１画像圧縮方式と異なる第２画像圧縮方式で圧縮する工程とを有することを特徴とする映像情報配信方法。
【請求項９】
前記送信される映像はカメラで撮影される動画像であることを特徴とする請求項８記載の映像情報配信方法。
【請求項１０】
前記第１画像圧縮方式は、前記第２画像圧縮方式に比べて画質の劣化が少ない方式であることを特徴とする請求項８または請求項９記載の映像情報配信方法。
【請求項１１】
前記第１画像圧縮方式は、可逆の画像圧縮方式であることを特徴とする請求項８乃至請求項１０のいずれか記載の映像情報配信方法。
【請求項１２】
前記第１画像圧縮方式は符号化による画素値変化が±１もしくは±３以内に限定されている準可逆の画像圧縮方式であることを特徴とする請求項８乃至請求項１０のいずれか記載の映像情報配信方法。
【請求項１３】
前記第１ネットワークの伝送帯域幅は前記第２ネットワークの伝送帯域幅に比べて広いことを特徴とする請求項８乃至請求項１２のいずれか記載の映像情報配信方法。
【請求項１４】
前記第１画像圧縮方式から伸長した画像データを受け取り、該受け取った画像データを蓄積に適した第３画像圧縮方式で圧縮して蓄積することを特徴とする請求項８乃至請求項１３のいずれか記載の映像情報配信方法。
【請求項１５】
前記第２画像圧縮方式により圧縮される画像データを間引くことを特徴とする請求項８記載の映像情報配信方法。
【請求項１６】
映像情報配信システムに搭載され、該映像情報配信システム内のＣＰＵによって実行されるプログラムが格納された記憶媒体において、
前記プログラムは、
映像送信部から送信された映像を受け取るまでに画像データを第１画像圧縮方式で圧縮する手順と、
前記受け取った映像を表示処理部に配布するまでに画像データを、前記第１画像圧縮方式と異なる第２画像圧縮方式で圧縮する手順とを含むことを特徴とする記憶媒体。
【手続補正２】
【補正対象書類名】明細書
【補正対象項目名】００１２
【補正方法】削除
【補正の内容】
【手続補正３】
【補正対象書類名】明細書
【補正対象項目名】００１３
【補正方法】変更
【補正の内容】
【００１３】
請求項３に記載の映像情報配信システムでは、請求項１または請求項２に係る映像情報配信システムにおいて、前記第１画像圧縮方式は、前記第２画像圧縮方式に比べて画質の劣化が少ない方式であることを特徴とする。
【手続補正４】
【補正対象書類名】明細書
【補正対象項目名】００１４
【補正方法】変更
【補正の内容】
【００１４】
請求項４に記載の映像情報配信システムでは、請求項１乃至請求項３のいずれかに係る映像情報配信システムにおいて、前記第１画像圧縮方式は、可逆の画像圧縮方式であることを特徴とする。
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】変更
【補正の内容】
【００１７】
請求項５に記載の映像情報配信システムでは、請求項１乃至請求項４のいずれかに係る映像情報配信システムにおいて、前記第１ネットワークの伝送帯域幅は前記第２ネットワークの伝送帯域幅に比べて広いことを特徴とする。
【手続補正８】
【補正対象書類名】明細書
【補正対象項目名】００１８
【補正方法】変更
【補正の内容】
【００１８】
請求項６に記載の映像情報配信システムは、請求項１乃至請求項５のいずれかに係る映像情報配信システムにおいて、前記第１画像圧縮方式から伸長した画像データを受け取り、該受け取った画像データを蓄積に適した第３画像圧縮方式で圧縮して蓄積する蓄積手段を備えたことを特徴とする。
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】変更
【補正の内容】
【００２０】
請求項７に記載の映像情報配信システムでは、請求項１に係る映像情報配信システムにおいて、前記配送手段は、前記第２画像圧縮手段により圧縮される画像データを間引く画像間引き手段を備えたことを特徴とする。
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】変更
【補正の内容】
【００２２】
請求項８に記載の映像情報配信方法は、映像を送信する工程と、該送信された映像を受け取って配布する工程と、該配布された映像を受信すると共に、該受信した映像を表示する工程とを有する映像情報配信方法において、前記送信された映像を受け取るまでに画像データを第１画像圧縮方式で圧縮する工程と、前記受け取った映像を配布するまでに画像データを、前記第１画像圧縮方式と異なる第２画像圧縮方式で圧縮する工程とを有することを特徴とする。
【手続補正１３】
【補正対象書類名】明細書
【補正対象項目名】００２３
【補正方法】変更
【補正の内容】
【００２３】
請求項９に記載の映像情報配信方法は、請求項８に係る映像情報配信方法において、前記送信される映像はカメラで撮影される動画像であることを特徴とする。
【手続補正１４】
【補正対象書類名】明細書
【補正対象項目名】００２４
【補正方法】削除
【補正の内容】
【手続補正１５】
【補正対象書類名】明細書
【補正対象項目名】００２５
【補正方法】変更
【補正の内容】
【００２５】
請求項１０に記載の映像情報配信方法では、請求項８または請求項９に係る映像情報配信方法において、前記第１画像圧縮方式は、前記第２画像圧縮方式に比べて画質の劣化が少ない方式であることを特徴とする。
【手続補正１６】
【補正対象書類名】明細書
【補正対象項目名】００２６
【補正方法】変更
【補正の内容】
【００２６】
請求項１１に記載の映像情報配信方法では、請求項８乃至請求項１０のいずれかに係る映像情報配信方法において、前記第１画像圧縮方式は、可逆の画像圧縮方式であることを特徴とする。
【手続補正１７】
【補正対象書類名】明細書
【補正対象項目名】００２７
【補正方法】削除
【補正の内容】
【手続補正１８】
【補正対象書類名】明細書
【補正対象項目名】００２８
【補正方法】変更
【補正の内容】
【００２８】
請求項１２に記載の映像情報配信方法では、請求項８乃至請求項１０のいずれかに係る映像情報配信方法において、前記第１画像圧縮方式は符号化による画素値変化が±１もしくは±３以内に限定されている準可逆の画像圧縮方式であることを特徴とする。
【手続補正１９】
【補正対象書類名】明細書
【補正対象項目名】００２９
【補正方法】変更
【補正の内容】
【００２９】
請求項１３に記載の映像情報配信方法では、請求項８乃至請求項１２のいずれかに係る映像情報配信方法において、前記第１ネットワークの伝送帯域幅は前記第２ネットワークの伝送帯域幅に比べて広いことを特徴とする。
【手続補正２０】
【補正対象書類名】明細書
【補正対象項目名】００３０
【補正方法】変更
【補正の内容】
【００３０】
請求項１４に記載の映像情報配信方法は、請求項８乃至請求項１３のいずれかに係る映像情報配信方法において、前記第１画像圧縮方式から伸長した画像データを受け取り、該受け取った画像データを蓄積に適した第３画像圧縮方式で圧縮して蓄積することを特徴とする。
【手続補正２１】
【補正対象書類名】明細書
【補正対象項目名】００３１
【補正方法】削除
【補正の内容】
【手続補正２２】
【補正対象書類名】明細書
【補正対象項目名】００３２
【補正方法】変更
【補正の内容】
【００３２】
請求項１５に記載の映像情報配信方法は、請求項８に係る映像情報配信方法において、前記第２画像圧縮方式により圧縮される画像データを間引くことを特徴とする。
【手続補正２３】
【補正対象書類名】明細書
【補正対象項目名】００３３
【補正方法】変更
【補正の内容】
【００３３】
請求項１６に記載の記憶媒体は、映像情報配信システムに搭載され、該映像情報配信システム内のＣＰＵによって実行されるプログラムが格納された記憶媒体において、前記プログラムは、映像送信部から送信された映像を受け取るまでに画像データを第１画像圧縮方式で圧縮する手順と、前記受け取った映像を表示処理部に配布するまでに画像データを、前記第１画像圧縮方式と異なる第２画像圧縮方式で圧縮する手順とを含むことを特徴とする。
【手続補正２４】
【補正対象書類名】明細書
【補正対象項目名】００７５
【補正方法】変更
【補正の内容】
【００７５】
特に、第１画像圧縮方式に可逆もしくは可逆に近い画質の劣化の少ない圧縮方式を用いた場合、第２画像圧縮方式の圧縮の対象となる原画像の特性が改善されることにより、劣化の蓄積という問題が解消され、受信者に対して画質のよい映像を発信することができる。尚、請求項８に記載の映像情報配信方法および請求項１６に記載の記憶媒体においても同様の効果を得ることができる。
【手続補正２５】
【補正対象書類名】明細書
【補正対象項目名】００７６
【補正方法】変更
【補正の内容】
【００７６】
請求項２に記載の映像情報配信システムによれば、前記映像送信手段は動画像を撮影するカメラを備えたので、カメラで撮影された動画像を劣化が少ない状態で配信することができる。尚、請求項９に記載の映像情報配信方法においても同様の効果を得ることができる。
【手続補正２６】
【補正対象書類名】明細書
【補正対象項目名】００７７
【補正方法】削除
【補正の内容】
【手続補正２７】
【補正対象書類名】明細書
【補正対象項目名】００７８
【補正方法】変更
【補正の内容】
【００７８】
請求項３に記載の映像情報配信システムによれば、前記第１画像圧縮方式は、前記第２画像圧縮方式に比べて画質の劣化が少ない方式であるので、配送サーバによって画像の伸長と再圧縮を施す場合、画像の劣化を少なくすることができる。尚、請求項１０に記載の映像情報配信方法においても同様の効果を得ることができる。
【手続補正２８】
【補正対象書類名】明細書
【補正対象項目名】００７９
【補正方法】変更
【補正の内容】
【００７９】
請求項４に記載の映像情報配信システムによれば、前記第１画像圧縮方式は、可逆の画像圧縮方式であるので、画質劣化を伴わない画像圧縮を行うことができる。尚、請求項１１に記載の映像情報配信方法においても同様の効果を得ることができる。
【手続補正２９】
【補正対象書類名】明細書
【補正対象項目名】００８０
【補正方法】削除
【補正の内容】
【手続補正３０】
【補正対象書類名】明細書
【補正対象項目名】００８１
【補正方法】削除
【補正の内容】
【手続補正３１】
【補正対象書類名】明細書
【補正対象項目名】００８２
【補正方法】変更
【補正の内容】
【００８２】
請求項５に記載の映像情報配信システムによれば、前記第１ネットワークの伝送帯域幅は前記第２ネットワークの伝送帯域幅に比べて広いので、圧縮率が小さいことが予想される第１画像圧縮方式を用いてもフレームレートを高めた映像伝送が可能になる。尚、請求項１３に記載の映像情報配信方法においても同様の効果を得ることができる。
【手続補正３２】
【補正対象書類名】明細書
【補正対象項目名】００８３
【補正方法】変更
【補正の内容】
【００８３】
請求項６に記載の映像情報配信システムによれば、前記第１画像圧縮方式から伸長した画像データを受け取り、蓄積に適した第３画像圧縮方式で圧縮した画像データを蓄積する蓄積手段を備えたので、圧縮する元の画像となるデータは、映像サーバが圧縮する前の画像データとほぼ同一のものであることから、再圧縮することによる画質の劣化が少なくなり、より品質の高い画像データを蓄積することが可能になる。尚、請求項１４に記載の映像情報配信方法においても同様の効果を得ることができる。
【手続補正３３】
【補正対象書類名】明細書
【補正対象項目名】００８４
【補正方法】削除
【補正の内容】
【手続補正３４】
【補正対象書類名】明細書
【補正対象項目名】００８５
【補正方法】変更
【補正の内容】
【００８５】
請求項７に記載の映像情報配信システムによれば、前記配送手段は、前記第２画像圧縮手段により圧縮される画像データを間引く画像間引き手段を備えたので、画像が均一に間引かれるような形で制御を行った上で、画像の配送を行うことにより、認められた回線容量を越えてしまうことを回避できる。尚、請求項１５に記載の映像情報配信方法においても同様の効果を得ることができる。
【手続補正３５】
【補正対象書類名】明細書
【補正対象項目名】００８６
【補正方法】削除
【補正の内容】
【手続補正３６】
【補正対象書類名】明細書
【補正対象項目名】００８７
【補正方法】変更
【補正の内容】
【００８７】
請求項１６に記載の記憶媒体によれば、映像情報配信システムに搭載され、該映像情報配信システム内のＣＰＵによって実行されるプログラムが格納された記憶媒体において、前記プログラムは、映像送信部から送信された映像を受け取るまでに画像データを第１画像圧縮方式で圧縮する手順と、前記受け取った映像を表示処理部に配布するまでに画像データを、前記第１画像圧縮方式と異なる第２画像圧縮方式で圧縮する手順とを含むので、映像情報配信システムの汎用性、拡張性を高めることができる。